【手続補正書】
【提出日】平成18年10月27日(2006.10.27)
【手続補正１】
【補正対象書類名】明細書
【補正対象項目名】特許請求の範囲
【補正方法】変更
【補正の内容】
【特許請求の範囲】
【請求項１】  識別情報の可変表示を行なった後に表示結果を導出表示可能な可変表示装置を備え、導出表示された表示結果が特定の表示結果となったときに遊技者にとって有利な特定遊技状態に制御可能な遊技機であって、
前記可変表示装置に所定の表示態様が表示されることを予告報知するための予告報知演出を実行する予告報知演出実行手段と、
少なくとも前記可変表示が開始される前に前記可変表示装置に前記所定の表示態様が表示されるか否かを判定する所定表示態様判定手段と、
前記予告報知演出の実行に関する予告モードが複数種類定められており、前記予告報知演出実行手段による予告報知演出を実行するか否かを決定するためのデータが記憶されている記憶手段であって、前記複数種類の予告モードのうちのある予告モードと他の予告モードとでは、前記所定表示態様判定手段により前記所定の表示態様となる旨の判定がなされたときに前記予告報知演出の実行される割合と前記所定の表示態様とはならない旨の判定がなされたときに前記予告報知演出の実行される割合とのうち、少なくとも一方の割合が異なるようにデータが記憶された予告報知演出割合記憶手段と、
前記複数種類の予告モードのそれぞれを特定できるように表示するための予告モード特定データが記憶されている予告モード特定データ記憶手段とを備え、
前記複数種類の予告モードの中から一の予告モードを遊技者が選択するための予告モード選択手段と、
前記予告報知演出割合記憶手段を利用して、前記所定表示態様判定手段の判定結果と前記予告モード選択手段により選択されている予告モードとに対応する記憶データを参照して前記予告報知演出を実行するか否かを決定する予告報知演出決定手段と、
前記識別情報の可変表示中または可変表示の待機中である通常遊技状態のときに、前記予告モード特定データ記憶手段に記憶されている予告モード特定データに基づいて当該予告モードを報知する予告モード報知手段とをさらに備えていることを特徴とする、遊技機。
【請求項２】  前記複数種類の予告モードの中から一の予告モードを抽選するために用いられる数値データを更新する予告モード抽選用数値データ更新手段と、
前記予告モード抽選用数値データ更新手段からの抽出値データを利用し、前記予告モード選択手段により選択されている予告モードを切替える予告モード切替手段とをさらに備えていることを特徴とする、請求項１に記載の遊技機。
【請求項３】  前記予告報知演出は複数種類あり、
前記複数種類の予告報知演出は、該複数種類の予告報知演出のうちのある予告報知演出と他の予告報知演出とで前記可変表示装置に前記所定の表示態様が表示される割合が異なる予告報知演出を含むことを特徴とする、請求項１または請求項２に記載の遊技機。
【請求項４】  前記複数種類の予告報知演出は、該複数種類の予告報知演出のうちのある予告報知演出と他の予告報知演出とで前記可変表示装置において表示されたときの表示態様が異なる予告報知演出を含むことを特徴とする、請求項３に記載の遊技機。
【請求項５】  遊技者による前記予告モード選択手段を用いた予告モードの選択の有無に関わらず、選択受付時間の終了後に予告モードの決定を行なう予告モード決定手段をさらに備える、請求項１〜請求項４のいずれかに記載の遊技機。
【手続補正２】
【補正対象書類名】明細書
【補正対象項目名】０００６
【補正方法】変更
【補正の内容】
【０００６】
【課題を解決するための手段の具体例およびその効果】
（１）  識別情報（特別図柄）の可変表示（変動等）を行なった後に表示結果（確定停止図柄）を導出表示可能な可変表示装置（可変表示装置８）を備え、導出表示された表示結果が特定の表示結果（たとえば、「１１１」等のゾロ目）となったときに遊技者にとって有利な特定遊技状態（いわゆる、大当り）に制御可能な遊技機（パチンコ遊技機１）であって、
前記可変表示装置に所定の表示態様（大当り図柄の組合わせ，リーチとなる組合わせ）が表示されることを予告報知するための予告報知演出（予告演出）を実行する予告報知演出実行手段（図１４のＳＦ１０等参照）と、
少なくとも前記可変表示が開始される前に前記可変表示装置に前記所定の表示態様が表示されるか否かを判定する所定表示態様判定手段（図１５のＳＧ０２等参照）と、
前記予告報知演出の実行に関する予告モードが複数種類定められており（図７の「鉄板モード」等参照）、前記予告報知演出実行手段による予告報知演出を実行するか否かを決定するためのデータが記憶されている記憶手段（図７のＲＳ１−１等参照）であって、前記複数種類の予告モードのうちのある予告モード（たとえば、鉄板モード）と他の予告モード（たとえば、ノーマルモード）とでは、前記所定表示態様判定手段により前記所定の表示態様となる旨の判定（大当りとなる判定，リーチとなる判定等）がなされたときに前記予告報知演出の実行される割合（５００／６００と３００／６００）と前記所定の表示態様とはならない旨の判定（大当りとならない判定，リーチとならない判定等）がなされたときに前記予告報知演出の実行される割合（０／６００と６０／６００）とのうち、少なくとも一方の割合が異なるようにデータが記憶された予告報知演出割合記憶手段（図７参照）と、
前記複数種類の予告モードのそれぞれを特定できるように表示するための予告モード特定データが記憶されている予告モード特定データ記憶手段（たとえば、表示制御基板８０のＲＡＭ、図１３等参照）とを備え、
前記複数種類の予告モードの中から一の予告モードを遊技者が選択するための予告モード選択手段（たとえば、図１３のＳＥ０３からＳＥ０５，ＳＥ０９からＳＥ１１等参照）と、
前記予告報知演出割合記憶手段を利用して、前記所定表示態様判定手段の判定結果と前記予告モード選択手段により選択されている予告モードとに対応する記憶データを参照して前記予告報知演出を実行するか否かを決定する予告報知演出決定手段（図１５等参照）と、
前記識別情報の可変表示中または可変表示の待機中である通常遊技状態のとき（たとえば、客待ちプロセス処理，可変表示動作中等）に、前記予告モード特定データ記憶手段に記憶されている予告モード特定データに基づいて当該予告モードを報知する予告モード報知手段（図１２等参照）とをさらに備えている。
【手続補正３】
【補正対象書類名】明細書
【補正対象項目名】０００７
【補正方法】変更
【補正の内容】
【０００７】
上述の構成によれば、予告報知がなされたときの所定の表示結果が表示される期待度が異なる予告報知演出割合記憶手段があり、遊技者が選択した予告モードに対応する予告報知演出割合記憶手段を利用して、予告報知演出を実行するか否かを決定することができる。これにより、予告報知演出が実行されたときの所定の表示態様が表示される期待度や、予告報知演出の実行される割合を、遊技者が予告モードを選択することにより間接的に選択することができる。また、遊技者の所望する予告モードに切替えることができ遊技者が遊技に介入している感覚を高め遊技の興趣を向上させることができる。さらに、遊技状態が通常遊技状態であるときに、遊技者により選択されている予告モードを報知することができる。これにより、遊技者側にとって、一旦遊技球の打ち出しを中断し、デモ制御が行なわれるまで待たなくても、現在の予告モードを確認することができる。また、前述した信頼度・出現率を認識しつつ予告報知演出を楽しむことができるため、遊技の興趣を向上させることができる。また、遊技場側にとっては、遊技者が予告モードを確認するために稼動率が低下していた不都合を防止することができる。
【手続補正４】
【補正対象書類名】明細書
【補正対象項目名】００１３
【補正方法】変更
【補正の内容】
【００１３】
上述の構成によれば、複数種類の予告報知演出には、可変表示装置に表示されたときの表示態様が異なる予告報知演出が含まれているため、実行される予告報知演出の表示態様により割合を予測しつつ遊技を行なうことができる。また、予告報知演出の表示態様を多様化することができ、視覚的に遊技者を楽しませ遊技の興趣を向上させることができる。
（５）  遊技者による前記予告モード選択手段を用いた予告モードの選択の有無に関わらず、選択受付時間の終了後に予告モードの決定を行なう予告モード決定手段をさらに備える。